(57)【要約】【課題】  フィルム状の光学ＬＰＦをデジタルカメラ機器内の金属体に接触する構造とし、フィルム状光学ＬＰＦに帯電した静電気を、その金属体に除電できるようにすることでゴミや埃の付着を出来る限り回避することを目的とするものである。【解決手段】  フィルム状光学ＬＰＦが撮影装置の受光面近傍で進退する進退手段と、フィルム状光学ＬＰＦと略平行な面に位置する電気的に接続される導電部材とを備え、フィルム状光学ＬＰＦが進退時、帯電により生じる電荷を中和する導電手段を有するように構成している。【選択図】  図２
2006173830.tif 000002
【特許請求の範囲】
【請求項１】
被写体像を形成する撮影光学系と、前記撮影光学系が形成する被写体像を電気信号に変換する固体撮像素子と、前記撮影光学系と前記固体撮像素子との間に配置され、前記撮影装置の受光面と略平行な面に位置するフィルム状の光学的ローパスフィルタと、前記フィルム状の光学的ローパスフィルタが前記撮影装置の受光面近傍で進退する進退手段と、前記フィルム状の光学的ローパスフィルタと略平行な面に位置する電気的に接続される導電部材とを備え、前記フィルム状の光学的ローパスフィルタが進退時、帯電により生じる電荷を中和する導電手段を有することを特徴とするデジタルカメラ。
【請求項２】
前記、帯電により生じる電荷を中和する導電手段は、少なくとも１つ以上配置されていることを特徴とする請求項１に記載のデジタルカメラ。
【発明の詳細な説明】
【技術分野】
【０００１】
本発明は、例えばＣＣＤやＣＭＯＳ等よりなる撮像素子などに用いられる光学的ローパスフィルタ（以後光学ＬＰＦという）で、中でもフィルム状の光学ＬＰＦに関し、それをデジタルカメラ等の機器内に実装する場合に問題になるゴミ・ほこりの付着を防止する方法に関するものである。
【背景技術】
【０００２】
従来、ＣＣＤやＣＭＯＳ等よりなる撮像素子を使用した撮像光学系においては、被写体光の高空間周波数成分を制限し、擬似信号の発生に伴う被写体による光とは異なる色成分を除去するために、光学ＬＰＦが用いられている。
【０００３】
この光学ＬＰＦとして、従来一般的には、水晶板などによる複屈折タイプのものが広く使われている。
【０００４】
この水晶板は屈折率の異方性がさほど大きくなく、制限すべき所定の空間周波数を得るためには、水晶板の厚さが通常１ｍｍ程度必要となる。それを複数枚貼り合わせて使用するために、トータルの厚みが厚くなり、その結果、機器の小型化や軽量化を阻害するばかりでなく、収差やゴーストなど光学的性能の低下の要因ともなる。
【０００５】
また、ニオブ酸リチウムなど屈折率の異方性が大きい材料が知られている。この材料の場合は屈折率の異方性が大きいため、制限すべき所定の空間周波数を得るための厚みは水晶に比べて極めて薄くできるが、反面、厚み加工上あるいは貼り合わせ加工上の技術的困難さがあり、その結果、コストが高くなる。
【０００６】
一方、高分子製光学ＬＰＦに関する提案が特開平08−122708でされている。これは、光学異方性高分子フィルムよりなるもので、製造が容易であり、特定の光学的特性を有するものであることにより、光学ＬＰＦとして優れた機能を有し、小型化、軽量化が図れると共に、コスト的にも有利と言えるものである。
【０００７】
この光学異方性高分子フィルムを使えば、水晶やニオブ酸リチウムを使う場合のデメリットを回避することが可能となるが、フィルム製であるために静電気が帯電しやすく、ゴミ・ほこり等が付着し易いため、撮像素子に撮像する場合、そのゴミやほこりが写り込んでしまうという欠点がある。また、光学異方性高分子フィルム等のフィルム状光学ＬＰＦをデジタルカメラ等の機器内に実装する際、上記欠点の解決手段として、フィルム状光学ＬＰＦをあらかじめ巻き込んである部材から、撮影光路上に入れたり、または撮影光路外に退避させたり、といった動作を行わせる退避手段を有する提案がなされている。これは撮影者が意図的に、フィルム状光学ＬＰＦを使用するか、もしくは使用しないかを選択でき、選択されたモードによってフィルム状光学ＬＰＦを退避させるものである。しかし、この提案においても静電気の帯電によるゴミ・埃等の付着についての根本的な解決には至っていない。
【特許文献１】特開平08−122708号公報
【発明の開示】
【発明が解決しようとする課題】
【０００８】
本発明は、以上のような状況に鑑みなされたもので、光学異方性高分子フィルム等のフィルム状の光学LPFをデジタルカメラ等の機器内に実装する際に、機器内の金属体（GND）に接触する構造とし、フィルム状光学LPFに帯電した静電気を、その金属体（GND）に除電できるようにすることでゴミや埃の付着を出来る限り回避することを目的とするものである。
【課題を解決するための手段】
【０００９】
上記の目的を達成するために構成された本発明に係る請求項１に記載のデジタルカメラにおいて、被写体像を形成する撮影光学系と、前記撮影光学系が形成する被写体像を電気信号に変換する固体撮像素子と、前記撮影光学系と前記固体撮像素子との間に配置され、前記撮影装置の受光面と略平行な面に位置するフィルム状の光学ＬＰＦと、前記フィルム状光学ＬＰＦが前記撮影装置の受光面近傍で進退する進退手段と、前記フィルム状光学ＬＰＦと略平行な面に位置する電気的に接続される導電部材とを備え、前記フィルム状光学ＬＰＦが進退時、帯電により生じる電荷を中和する導電手段を有することを特徴としている。
【００１０】
請求項２に記載の発明は、請求項１に記載のデジタルカメラにおいて、帯電により生じる電荷を中和させる導電手段を、少なくとも１つ以上配置していることを特徴としている。
【発明の効果】
【００１１】
以上説明したように、本発明のデジタルカメラによれば、フィルム状光学的ＬＰＦが退避する際に、第１導電ローラー及び第２導電ローラーに接触して移動し、導電保持部材及びを介して導電性を有する内部筐体に固定ビスで固定される。これにより、導電性を有する内部筐体（ＧＮＤ）に除電できることで、静電気等の帯電による生じる電荷を中和することができるので、フィルム状光学的ＬＰＦへのゴミ・埃等の付着を出来る限り回避することが出来る。
【発明を実施するための最良の形態】
【００１２】
以下、本発明に係るデジタルカメラの実施形態について図面を参照しながら説明する。
【００１３】
図１は、本発明のフィルム状光学ＬＰＦを備えたデジタルカメラの中央断面図を示した説明図である。
【００１４】
図２は、図１のフィルム状光学ＬＰＦの退避機構及び導電部材の構成を説明した図である。
【００１５】
図３は、図２のフィルム状光学ＬＰＦの退避機構のフィルム検知に関する説明図である。
【００１６】
図４は、図１のフィルム状光学ＬＰＦの導電部材の接続部に関する説明図である。
【００１７】
図５は、本発明の実施の形態に係るデジタルカメラの電気回路ブロック図である。
【００１８】
図６は、本発明の実施の形態に係るデジタルカメラの動作を示すフローチャートである。
【００１９】
以下本発明のデジタルカメラの概要について説明する。
【００２０】
図1のカメラ１に対して着脱可能な交換レンズ２は複数枚の撮影レンズ群３及び、絞り径を変化させることで光量をコントロールする絞り４からなり、カメラ１のマウント５によって装着固定される。不図示のカメラ１の接点部と不図示の交換レンズ２の接点部が接触することによって電気的な接続がなされ、この接点部を介してカメラ１から交換レンズ２への電力の供給やレンズを制御するための通信を行う。交換レンズ２の撮影レンズ群３を透過した光束はカメラ１のメインミラー６に入射する。メインミラー６はハーフミラーとなっており反射した光束はファインダーへと導かれ、透過した光束はサブミラー７にて下方へ反射し、焦点検出装置８へと導かれる。焦点検出装置８は撮影レンズ群３のデフォーカス量を検出し、撮影レンズ群３が合焦状態となるようにレンズ駆動量を演算し、演算より求められたレンズ駆動量を接点部を介して交換レンズ２へ送出すると、交換レンズ２は不図示のモーターを制御して撮影レンズ群３を駆動して焦点調節を行う。メインミラー６によってファインダーへと導かれた光束はピント板９に被写体像を結像し、撮影者はペンタプリズム１０および接眼レンズ１１を介してこのピント板上の被写体像を観察するように構成されている。ペンタプリズム１０の後方には、カメラ１の観察画面内の被写体輝度を測定するための測光レンズ１２と測光センサ１３が配置されている。１４、１５はシャッターを構成する後幕と先幕で、これら後幕１５、先幕１４の開放によって、後方に配置されている固体撮像素子であるＣＣＤ（固体撮像素子）２０に必要な露光を与える。撮影時に固体撮像素子２０に蓄積された画像データは、別に設けられた不図示の画像処理回路を通して後述する外部記憶装置に送られる。ここからは、本考案に係る構成について述べるが、後述で詳細に記するため、ここでは簡単に構成についてだけ述べる。２７は、フィルム状光学ＬＰＦであり、図３（ａ）に示すように、被写体像を水平分離する複屈折フィルム２７ａと、被写体像を垂直分離する複屈折フィルム２７ｂと、その間に複屈折フィルム２７ａを通った直線偏光を円偏光に変換する位相フィルム２７ｃを挟み込むように接合されている。１６はフィルム状光学ＬＰＦの退避手段の一部である第２プーリーである。１８は同じく退避手段の一部である第１プーリーである。第１プーリー１８の回転軸１８ａ及び第２プーリー１６の回転軸１６ａは、いずれもその回転軸が撮影光軸と略直交する方向に配置されている。２５はフィルム状光学ＬＰＦの導電手段の一部であり、前述した第２プーリー１６の近傍に略平行に配置された金属体からなる第２導電ローラーである。２６は、同じく導電手段の一部であり、第１プーリー１８の近傍に略平行に配置された金属体からなる第１導電ローラーである。第１プーリー１８の下方にはモーター３０が第１プーリー１８と略平行に配置されている。１９は固体撮像素子２０の表面を保護する保護ガラスであり、１７は保護ガラス１９の表面に接合された、赤外波長域の光線を遮断する赤外カットフィルタである。２１は基板（Ａ）で、固体撮像素子２０が保持されており、固体撮像素子２０を駆動するための駆動回路が実装されている。この基板（Ａ）２１の後方にもう１��の基板（Ｂ）２２が配置してあり、これにはＬＣＤモニター装置２３を駆動させるための駆動回路が実装されている。この基板（Ａ）２１及び基板（Ｂ）２２は不図示のフレキシブルプリント基板で接続されて通信を行っている。基板（Ｂ）２２の外側の面には撮影された画像を表示するＬＣＤモニター装置２３及び画像を視認させるためのバックライト照明装置２４が配置してある。２８は画像データを記録するための、着脱可能な外部記憶装置（記録手段）で、２９はカメラの電源である着脱可能なバッテリーである。
【００２１】
以上が本考案であるデジタルカメラの主な構成である。
【００２２】
次に、前述したデジタルカメラの構成を基に、フィルム状光学ＬＰＦを有する導電手段について具体的に説明する。図２〜４は、本発明の実施の形態に係るフィルム状光学ＬＰＦの退避手段及び帯電により生じる電荷を中和する導電手段の構成を説明した図である。図２において、１８は第１プーリーであり、第１プーリーの外周にはフィルム状光学ＬＰＦ２７と同幅形状の開口部が設けられている。更に、外周の一端には、回転軸１８ａと同軸上に配置された回転ギヤ１８ｂがあり、回転ギヤ１８ｂと回転軸１８ａは結合されており、共に回転可能に構成してある。更に第１プーリー１８の内部では、フィルム状光学ＬＰＦ２７の一端が回転軸１８ａに固定されている。第１プーリー１８の下方にはモーター３０が配置されており、回転ギヤ１８ｂの歯車とモーター３０の歯車が噛み合って動力を伝達するように構成されている。１６は第２プーリーであり、第２プーリーの外周には第１プーリー１８と同様に、フィルム状光学ＬＰＦ２７と同幅形状の開口部が設けられており、第２プーリー１６の内部では、フィルム状光学ＬＰＦ２７の一端が回転軸１６ａに固定されていて、回転軸１６ａは、不図示の付勢部材により、図２中の時計方向に常時付勢されている。更に、フィルム状光学ＬＰＦ２７は、第２プーリー１６内の回転軸１６ａにあらかじめ所定量巻き付けて付勢されている。第１プーリー１８と第２プーリー１６の間には、固体撮像素子２０が配置されており、表面には保護ガラス１９及び赤外カットフィルタ１７が接合してある。３１はフィルム状光学的ＬＰＦ２７の位置を検出するためのフォトセンサーであり、フィルム状光学的ＬＰＦ２７に形成された位置割出し用のマーカー３２ａと３２ｂとにより、フィルム状光学的ＬＰＦ２７の位置出しを行うことができる。２５はフィルム状光学ＬＰＦとの接触がなされる金属体からなる第２導電ローラーであり、同じく金属体からなる導電保持部材３３ａに回転可能に軸支されている。２６は同様にフィルム状光学ＬＰＦとの接触がなされる金属体からなる第１導電ローラーであり、保持部材３３ｂに回転可能に軸支されている。
【００２３】
図３（ａ）は、フィルム状光学的ＬＰＦ２７の断面を示したものである。フィルム状光学的ＬＰＦ２７は、前述したように被写体像を水平分離する複屈折フィルム２７ａと、被写体像を垂直分離する複屈折フィルム２７ｂと、その間に複屈折フィルム２７ａを通った直線偏光を円偏光に変換する位相フィルム２７ｃを挟み込むように接合されている。図３（ｂ）は、フィルム状光学的ＬＰＦ２７の平面図であり、退避手段の位置検出を説明するための図である。位置割り出し用マーカー３２ａ、同じく位置割り出し用マーカー３２ｂは前述した通りフィルム状光学的ＬＰＦ２７の退避位置を決定するためのマーカーで、遮光性の印刷が施してある。このマーカーが図２にいうフォトセンサー３１の検出光軸を遮ると電気信号が発生し、第１プーリー１８の下方に配置してあるモーター３０の駆動を停止して、フィルム状光学的ＬＰＦ２７の位置を決定する。３４はフィルム状光学的ＬＰＦ２７のＬＰＦ形成部である。つまり、フォトセンサー３１でフィルム状光学的ＬＰＦ２７の位置割り出し用マーカー３２a及び３２ｂの位置を検出して、固体撮像素子２０の前面にてフィルム状光学的ＬＰＦ２７のＬＰＦ形成部３４を停止するように制御している。
【００２４】
なお、図３の（ｃ）及び（ｄ）に示すように、フィルム状光学的ＬＰＦ２７の全面にＬＰＦ形成部３４を施しても良い。
【００２５】
図４は、本発明の実施形態であるフィルム状光学ＬＰＦの退避機構を有する導電手段についての説明図である。
【００２６】
同図において、１ａはデジタルカメラの外装部であり、外装部１ａの内側には前述した導電保持部材３３ａ及び３３ｂを保持する導電性を有する内部筐体１ｂが構成されている。１８は第１プーリー、１６は第２プーリー、２７はフィルムフィルム状光学的ＬＰＦであり、モーター３０の回転により回転ギヤ１８ｂが駆動され、これによりフィルム状光学的ＬＰＦ２７は図中下方へ移動され、第１プーリー１８内に挿入される構成となる。なお、第１プーリー１８、第２プーリー１６は内部筐体１ｂとは別部材の不図示の枠体に保持されている。２６は第1導電ローラーであり、導電保持部材３３ｂに回転可能に保持され、導電保持部材３３ｂは導電性を有する内部筐体１ｂに固定ビス３５ｂで締結される。また、同様に第２導電ローラー２５は導電保持部材３３ａに回転可能に保持され、導電保持部材３３ａは導電性を有する内部筐体１ｂに固定ビス３５ａで締結される。この構成により、フィルム状光学的ＬＰＦ２７が退避する際に、第１導電ローラー２６及び第２導電ローラー２５に接触して移動し、導電保持部材３３ａ及び３３ｂを介して導電性を有する内部筐体１ｂに固定ビス３５ｂで固定される。これにより、導電性を有する内部筐体１ｂ（ＧＮＤ）に除電できることで、静電気等の帯電による生じる電荷を中和することができるので、フィルム状光学的ＬＰＦ２７へのゴミ・埃等の付着を出来る限り回避することが出来る。
【００２７】
図５は、本発明の実施の形態であるデジタルカメラの電気回路構成を示すブロック図である。同図において、１０１はプリント基板で、カメラの動作の全てを制御するマイクロコンピューター１０２、固体撮像素子１１５の出力である画像データを処理したり、ＬＣＤモニター装置１１７に画像を表示する画像表示制御回路（画像表示手段）１１６等が搭載されている。マイクロコンピューター１０２の内部には、退避手段の構成の一部である制御プログラムが実装されている。１０３はＳＷ１で、不図示のレリーズ釦の半押し状態でオン（ＯＮ）するスイッチであり、このＳＷ１/１０３がオン（ＯＮ）するとデジタルカメラは撮影準備状態になる。１０４はＳＷ２で、不図示のレリーズ釦が最後まで押された状態でオン（ＯＮ）するスイッチであり、このＳＷ２/１０４がオン（ＯＮ）するとデジタルカメラは撮影動作を開始する。１０５はレンズ制御回路で、本実施の形態は、レンズ交換式のデジタルカメラであるので、交換レンズ２（図１参照）との通信及びＡＦ（オートフォーカス）時の交換レンズ２の駆動や絞り羽根の駆動の制御をこのレンズ制御回路１０５が受け持っている。また図５において、１０６は外部表示の制御回路で外部表示装置１０７や、ファインダー内の表示装置（不図示）の制御を行う。１０８はスイッチセンス回路で、カメラ内に設けられた電子ダイヤル１０９や、サブ電子ダイヤル１１０を含む多数のスイッチ類の信号をマイクロコンピューター１０２に伝える働きをしている。１１１はストロボ発光調光制御回路で、Ｘ接点１１１ａを介して接地されており、外部ストロボの制御を行う。１１２は測距回路で、ＡＦ（オートフォーカス）のための被写体に対するディフォーカス量を検出する機能を有する。１１３は測光回路で、被写体の輝度を測定する機能を有する。１１４はシャッターの制御を行う回路で、固体撮像素子１１５に対して適正な露光を行う。ＬＣＤモニター装置１１７とバックライト照明装置１１８は画像表示手段を構成している。１１９は記録手段であるところの外部記憶装置である。１２０は本発明に係るところの退避手段の構成の一部である退避機構制御回路である。１２１は同じく退避手段の構成の一部であるモーター、１２２は同じく退避手段の構成の一部であるフォトセンサーである。１２３は同じく退避手段の構成の一部である退避スイッチである。
【００２８】
次に本発明の実施の形態に係るデジタルカメラの動作を図６に基づき説明する。図６は本実施の形態に係るデジタルカメラの動作の流れを示すフローチャートである。このフローチャートに示される制御プログラムは、図５に示すマイクロコンピューター１０２の内部に実装されている。まず、ステップＳ２０１で不図示のデジタルカメラのメインスイッチがオン（ＯＮ）したか否かを判断する。不図示のメインスイッチがオン（ＯＮ）の場合はステップＳ２０２に進む。不図示のメインスイッチがオフ（ＯＦＦ）の状態であれば、そのままステップＳ２０１へ戻る。ステップＳ２０２で、いずれかの操作スイッチがオン（ＯＮ）されれば、ステップＳ２０３に進み、オン（ＯＮ）した操作スイッチに対応した処理をマイクロコンピューター１０２（図５参照）により行う。この処理は、例えば、デジタルカメラの各操作部材を操作して、撮影モードを変えたり、撮影済の画像を読み出したり、フィルム状光学的ＬＰＦ２７（図２参照）の退避を設定したりする処理である。ステップＳ２０３を実行した結果、フィルム状光学的ＬＰＦ２７（図２参照）の位置を変更（退避）するための退避スイッチ１２３（図５参照）がオン（ＯＮ）されたか否かをステップＳ２０４で判断する。ステップＳ２０４でフィルム状光学的ＬＰＦ２７（図２参照）の位置を変更（退避）するための、退避スイッチ１２３（図５参照）がオン（ＯＮ）されていなければ、通常の撮影となるので、ステップＳ２０９へ進み、退避スイッチ１２３（図５参照）がオン（ＯＮ）された場合はステップＳ２０５へ進む。ステップＳ２０９において、ＳＷ１/１０３がオン（ＯＮ）したか否かを判断する。このＳＷ１/１０３は不図示のレリーズ釦の半押し状態のことであり、このＳＷ１/１０３がオン（ＯＮ）するとデジタルカメラは撮影準備状態になる。そして、ＳＷ１/１０３がオフ（ＯＦＦ）していれば前記ステップＳ２０１へ戻り、またＳＷ１/１０３がオン（ＯＮ）であれば、デジタルカメラは次のステップＳ２１０へ進む。ステップＳ２１０では、測光（ＡＥ）動作及び測距（ＡＦ）動作がそれぞれ行われ、撮影手段である交換レンズ２（図１参照）が駆動されて焦点合わせが行われる。次に、ステップＳ２１１でＳＷ２/１０４がオン（ＯＮ）されたか否かを判断する。このＳＷ２/１０４は、不図示のレリーズボタンが最後まで押された状態のことであり、このＳＷ２/１０４がオン（ＯＮ）すると次のステップＳ２１２へ進んでデジタルカメラは撮影動作を開始する。一方、ＳＷ２/１０４がオフ（ＯＦＦ）していれば前記ステップＳ２０９へ戻り、ステップＳ２０９からステップＳ２１１を繰り返す。ステップＳ２１２では、メインミラー６（図１参照）が作動して、いわゆるミラーアップして、撮影光路外にメインミラー６（図１参照）が退避する。次に、ステップＳ２１３で撮像手段である固体撮像素子２０（図１参照）の蓄積が開始され、次のステップＳ２１４では、シャッターの露光、即ち、先膜１４（図１参照）、後膜１５（図１参照）がそれぞれ走行する。そして、ステップＳ２１５で固体撮像素子２０（図１参照）の蓄積が終了され、次のステップＳ２１６で、固体撮像素子２０（図１参照）から画像信号が読み出されて、プリント基板１０１（図５参照）に内蔵されている内部メモリーに一時記憶される。ステップＳ２１７でメインミラー６（図１参照）が作動して、いわゆるミラーダウンして、メインミラー６（図１参照）が被写体光をファインダー光学系に導く位置（斜設位置）に戻り、一連の撮像動作が終了する。一方、退避スイッチ１２３（図５参照）がオン（ＯＮ）された場合はステップＳ２０５へ進む。ステップＳ２０５で図５の退避機構制御回路１２０（図５参照）からの信号により、モーター１２１（図２参照）に通電がなされる。ステップＳ２０６で、通電がなされると、図２のモーター３０が回転し、第１プーリー１８（図２参照）の回転ギヤ１８ｂ（図２参照）に駆動力が伝達され、フィルム状光学的ＬＰＦ２７（図２参照）は回転軸１８ａ（図２参照）の回転により、第１プーリー１８（図２参照）内に巻き込まれる。この際、フィルム状光学的ＬＰＦ２７（図２参照）は退避する時に第１導電ローラー２６（図２参照）及び第２導電ローラー２５（図２参照）に接触して移動し、導電保持部材３３ａ（図２参照）及び導電保持部材３３ｂ（図２参照）を介して導電性を有する内部筐体１ｂ（ＧＮＤ（図４参照））に静電気等により帯電した電荷を除電することができる。これにより、静電気等の帯電による生じる電荷を中和することができるので、フィルム状光学的ＬＰＦ２７（図２参照）へのゴミ・埃等の付着を出来る限り回避することが出来る。ステップＳ２０７において、図２のフィルム状光学的ＬＰＦ２７に遮光性のギャップ（黒パターン印刷）を施してある位置割り出し用マーカー３２ｂ（図２参照）がフォトセンサー３１（図２参照）の検出光軸を遮ると電気信号が発生する。この電気信号は退避機構制御回路１２０（図５参照）へ送られる。ステップＳ２０８において、図５の退避機構制御回路１２０からの信号により、フォトセンサー３１（図２参照）の検出光軸の前面に位置割り出し用マーカー３２ｂ（図２参照）が移動してきたことを検出する。次に、図２の第１プーリー１８の下方に配置してあるモーター３０（図２参照）の駆動を停止して、フィルム状光学的ＬＰＦ２７（図２参照）の位置を決定し、固体撮像素子２０（図２参照）の前面にフィルム状光学的ＬＰＦ２７（図２参照）の形成部３４（図３参照）を停止するように制御している。ここでフィルム状光学的ＬＰＦ２７（図２参照）の退避が完了する。
【００２９】
なお、本実施形態によれば、フィルム状光学的ＬＰＦ２７と接触して移動する導電ローラー及び導電保持部材は２つ構成での実施形態で説明したが、少なくとも１つ以上配置されていれば構わない。
【図面の簡単な説明】
【００３０】
【図１】本発明のフィルム状光学ＬＰＦを備えたデジタルカメラの中央断面図を示した説明図である。
【図２】図１のフィルム状光学ＬＰＦの退避機構及び導電部材の構成を説明した図である。
【図３】図２のフィルム状光学ＬＰＦの退避機構のフィルム検知に関する説明図である。
【図４】図１のフィルム状光学ＬＰＦの導電部材の接続部に関する説明図である。
【図５】本発明の実施の形態に係るデジタルカメラの電気回路ブロック図である。
【図６】本発明の実施の形態に係るデジタルカメラの動作を示すフローチャートである。
【符号の説明】
【００３１】
１  カメラ
１ａ  外観部
１ｂ  内部筐体
２  交換レンズ
３  撮影レンズ群
４  絞り
５  マウント
６  メインミラー
７  サブミラー
８  焦点検出装置
９  ピント板
１０  ペンタプリズム
１１  接眼レンズ
１２  測光レンズ
１３  測光センサ
１４  先幕
１５  後幕
１６  第２プーリー
１６ａ  固定軸
１７  赤外カットフィルタ
１８  第１プーリー
１８a  固定軸
１８ｂ  回転ギヤ
１９  保護ガラス
２０  固体撮像素子
２１  基板（Ａ）
２２  基板（Ｂ）
２３  ＬＣＤモニター装置
２４  バックライト照明装置
２５  第２導電ローラー
２６  第１導電ローラー
２７  フィルム状光学ＬＰＦ
２７ａ、２７ｂ  複屈折フィルム
２７ｃ  位相フィルム
２８  外部記憶装置
２９  バッテリー
３０  モーター
３１  フォトセンサー
３２ａ、３２ｂ  位置割り出し用マーカー
３３ａ、３３ｂ  導電保持部材
３４  ＬＰＦ形成部
３５ａ、３５ｂ  固定ビス
１０１  プリント基板
１０２  マイクロコンピューター
１０３  ＳＷ１
１０４  ＳＷ２
１０５  レンズ制御回路
１０６  外部表示制御回路
１０７  外部表示装置
１０８  スイッチセンス回路
１０９  電子ダイヤル
１１０  サブ電子ダイヤル
１１１  ストロボ発光調光制御回路
１１１ａ  Ｘ接点
１１２  測距回路
１１３  測光回路
１１４  シャッター制御回路
１１５  固体撮像素子
１１６  画像表示制御回路
１１７  ＬＣＤモニター装置
１１８  バックライト照明装置
１１９  外部記憶装置
１２０  退避機構制御回路
１２１  モーター
１２２  フォトセンサー
１２３  退避スイッチ
【図１】
2006173830.tif 000003
【図２】
2006173830.tif 000004
【図３】
2006173830.tif 000005
【図４】
2006173830.tif 000006
【図５】
2006173830.tif 000007
【図６】
2006173830.tif 000008